(57)【特許請求の範囲】
【請求項１】
パッド本体と、該パッド本体の中心部に一体に設けられるパッド芯とからなるノーズパッドであって、
前記パッド本体の表面を凸面に形成するとともに、表面側の縁部は、全周に亘って他の部分よりも曲率の大きい凸面に形成し、
前記パッド本体の裏面を凹面に形成するとともに、裏面側の縁部は、全周に亘って他の部分よりも曲率の大きい凹面に形成し、
前記パッド本体の外形は、前記パッド芯の中心を通る線を中心として、中心線の一方側と他方側の形状が異なる左右非対称に形成されるとともに、
前記一方側の外周は、全て、外側に向かって凸状となる曲線又は直線からなり、
前記他方側の外周は、その下半部に、外側に向かって凹状となる曲線を含むことを特徴とするノーズパッド。
【発明の詳細な説明】
【技術分野】
【０００１】
本発明は、ノーズパッドに関し、特に、装着感に優れた特性を有するノーズパッドに関する。
【背景技術】
【０００２】
ノーズパッドの一例として、樹脂等から形成される楕円形板状のパッド本体と、パッド本体の中心部に一体に設けられ金属から形成されるパッド芯とを備えたノーズパッドが知られている。
【０００３】
この場合、ノーズパッドの表面及び裏面は、全体に亘って略均一の平面に形成されるとともに、表面と裏面との間に位置している側面は、全周に亘ってやや丸みの帯びた曲面に形成されている。
【０００４】
そして、上記のような構成のノーズパッドのパッド芯をメガネフレームのパッド足にねじによって取り付け、リムの内側にレンズを取り付けることによりメガネを構成し、メガネを顔に装着してテンプルを耳に掛け、ノーズパッドを鼻の側面に接触させることにより、メガネを顔の所定の位置に保持することができ、ノーズパッドとしての機能を発揮させることができるものである（例えば、非特許文献１参照。）。
【非特許文献１】日本工業規格、眼鏡枠の用語（ＪＩＳ Ｂ ７２８０）、付図２〜６
【発明の開示】
【発明が解決しようとする課題】
【０００５】
ところで、上記のような構成のノーズパッドにあっては、メガネを顔に装着した場合に、パッド本体の表面が平面に形成されているのに対して、鼻の表面は人によって差があるものの緩やかな曲面に形成されているため、鼻の表面にパッド本体が食い込み、パッド本体の周縁部に荷重が集中して鼻の表面にパッド本体の跡が付き、痛みが生じてしまう。このため、長時間の使用に耐えることが困難になる。
【０００６】
一方、上記のような問題を解決するために、パッド本体を軟質のシリコン樹脂等によって形成し、メガネからの荷重を分散させることにより、パッド本体の跡が鼻の表面に付くのを防止するように構成したノーズパッドが提案されている。
【０００７】
しかし、このような構成のノーズパッドにあっても、鼻の表面にパッド本体による跡が付くことを完全に防止することができず、痛みが生じることを完全に避けることができず、長時間の使用に耐えることが困難になる。
【０００８】
本発明は、上記のような従来の問題を解決したものであって、メガネを長時間使用しても、パッド本体の跡が鼻の表面に付いて痛みが生じるようなことはなく、長時間の使用に十分に耐えることができるノーズパッドを提供することを目的とするものである。
【課題を解決するための手段】
【０００９】
上記のような課題を解決するために、本発明の請求項１に係るノーズパッドは、パッド本体と、該パッド本体の中心部に一体に設けられるパッド芯とからなるノーズパッドであって、前記パッド本体の表面を凸面に形成するとともに、表面側の縁部は、全周に亘って他の部分よりも曲率の大きい凸面に形成し、前記パッド本体の裏面を凹面に形成するとともに、裏面側の縁部は、全周に亘って他の部分よりも曲率の大きい凹面に形成し、前記パッド本体の外形は、前記パッド芯の中心を通る線を中心として、中心線の一方側と他方側の形状が異なる左右非対称に形成されるとともに、前記一方側の外周は、全て、外側に向かって凸状となる曲線又は直線からなり、前記他方側の外周は、その下半部に、外側に向かって凹状となる曲線を含む手段を採用している。
【発明の効果】
【００１０】
本発明は、前記のように、パッド本体の表面を複数の曲面を組み合わせて構成したことにより、パッド本体の表面を鼻の表面の曲面に合致させることができる。従って、メガネからの荷重をノーズパッドで支えた場合に、パッド本体の表面の１箇所にメガネからの荷重が集中するようなことはなく、荷重をパッド本体の全体に分散させることができるので、パッド本体の跡が鼻の表面に付いて痛みが生じるようなことはなく、快適な装着感が得られ、長時間の使用にも十分に耐えられることになる。
また、パッド本体は、パッド芯の中心を通る線を中心として、中心線を基準として左右対称又は左右非対称に形成されているので、鼻の表面の形状に応じた形状のパッド本体を選択することにより、鼻の表面の形状の異なる多くの人々に対して良好な装着感を提供することができる。
【発明を実施するための最良の形態】
【００１１】
以下、図面を参照しつつ、本発明の実施の形態について説明する。
図１〜図３には、本発明によるノーズパッドの第１の実施の形態が示されていて、このノーズパッド１は、パッド本体２と、パッド本体２に一体に設けられるパッド芯４０とを備えている。
【００１２】
パッド本体２は、シリコン樹脂等の各種の樹脂材から形成されるものであって、後述するパッド芯４０の中心を通る中心線３５を中心として（図１参照）、中心線３５の左側と右側の形状が略同一の左右対称に形成されている。この実施の形態においては、外形を一端から他端にかけて順次幅狭となる略楕円形状とするために、外周を２つの曲線１０、１１と２つの直線２２、２２とを組み合わせて構成している。
【００１３】
パッド本体２は、表面３、裏面２５及び側面３１（周面）が複数の曲面４〜６、２６〜２８、３２を組み合わせて構成され、これらの複数の曲面４〜６、２６〜２８、３２により全体が表面３側から裏面２５側に反り返った形状に形成されている。
【００１４】
すなわち、パッド本体２の表面３は、図２に示すように、長手方向の両縁部を除く全体が所定の曲率の１つの曲面４によって構成され、図３に示すように、幅方向の両縁部を除く全体が所定の曲率の１つの曲面６によって構成されている。また、図２に示すように、長手方向の両縁部が長手方向の他の部分よりも曲率の大きい曲面５、５によって構成され、図３に示すように、幅方向の両縁部が幅方向の他の部分よりも曲率の大きい曲面５、５によって構成されている。
【００１５】
また、パッド本体２の裏面２５は、図２に示すように、長手方向の両縁部を除く全体が所定の曲率の１つの曲面２６によって構成され、図３に示すように、幅方向の両縁部を除く全体が所定の曲率の１つの曲面２８によって構成されている。また、図２に示すように、長手方向の両縁部が長手方向の他の部分よりも曲率の大きな曲面２７、２７によって構成され、図３に示すように、幅方向の両縁部が幅方向の他の部分よりも曲率の大きな曲面２７、２７によって構成されている。
【００１６】
パッド本体２の表面３と裏面２５とは、略平行をなすように、各々の曲面４〜６、２６〜２８の曲率を設定することが好ましい。しかしながら、パッド本体２は、中央部の厚みが最大となるように、全体の厚みを設定するのが好ましい。
【００１７】
さらに、パッド本体２の側面３１（周面）は、図２及び図３に示すように、全周に亘って所定の曲率の１つの曲面３２から構成され、この曲面３２によってパッド本体２の表面３と裏面２５との間が滑らかに連結されている。
【００１８】
そして、上記のような複数の曲面４〜６、２６〜２８、３２によって、パッド本体２の表面３、裏面２５及び側面３１を構成することにより、パッド本体２が表面３側から裏面２５側に反り返った形状に形成される。
【００１９】
パッド芯４０は、楕円形板状の頭部４１と、頭部４１の裏面中央部に一体に立設される角柱状の脚部４２とからなり、脚部４２の先端部にはねじ挿通用の孔４３が貫通した状態で設けられている。
【００２０】
パッド芯４０は、頭部４１の全体がパッド本体２の中心部に埋設され、脚部４２がパッド本体２の裏面２５から外方に突出している。この場合、脚部４２の先端部がパッド本体２の裏面２５の先端よりも外方に僅かに突出するように、脚部４２の長さが設定されている。
【００２１】
パッド芯４０の材質は特に制限されるものではなく、各種の金属、樹脂等によって形成することができる。但し、メガネの荷重によって変形しない剛性を有することが必要である。
【００２２】
そして、上記のように構成したこの実施の形態によるノーズパッド１のパッド芯４０を、例えばフルリムタイプのメガネフレームのパッド足にねじによって取り付け、メガネフレームのリムの内側の部分にレンズを取り付けることによりメガネを構成する。
【００２３】
そして、テンプルを耳に掛け、ノーズパッド１を鼻の側面に当接させ、メガネを顔の所定の位置に保持することにより、レンズを通しての視界が得られることになる。
【００２４】
上記のように構成したこの実施の形態によるノーズパッド１にあっては、パッド本体２の表面３を異なる曲率の複数の曲面４〜６を組み合わせて構成し、この曲面４〜６の曲率を鼻の表面にほぼ合致する曲率に設定したので、パッド本体２の表面３を鼻の側面に接触させた場合に、パッド本体２の表面３の縁部にメガネからの荷重が集中するようなことはなく、パッド本体２の表面３の全体に荷重を分散させることができることになる。
【００２５】
従って、パッド本体２の形状に鼻の表面に跡が付いて痛みが生じるようなことはなく、快適な装着感が長時間に亘って得られることになり、長時間の使用にも十分に耐えられることになる。
【００２６】
また、パッド本体２の表面３側の周縁部は他の部分よりも曲率の大きい曲面５、５によって構成されているので、パッド本体２の表面３側の周縁部が鼻の表面に引っ掛かるようなこともなく、快適な装着感が得られることになる。
【００２７】
さらに、長手方向の一端部を他端部よりも幅広に形成したので、鼻の表面の形状に応じて、幅広の一端部を上方又は下方に向けて使用することにより、鼻の表面の形状の異なる多くの人々に快適な装着感を提供することができる。
【００２８】
図４〜図６には、本発明によるノーズパッドの第２の実施の形態が示されていて、このノーズパッド１は、パッド本体２の表面３、裏面２５及び側面３１（周面）を複数の曲面４〜８、２６〜３０、３２を組み合わせて構成するとともに、パッド本体２を、パッド芯４０を通る中心線３５を中心として（図４参照）、中心線３５の一方側と他方側の形状が異なる左右非対称に形成したものであって、その他の構成は前記第１の実施の形態に示すものと同様である。なお、図４〜図６に示すノーズパッド１は、鼻の右側面用であり、鼻の左側面用のものは図４〜図６に示すものと左右対称となるので、その詳細な説明は省略するものとする。
【００２９】
すなわち、この実施の形態に示すノーズパッド１のパッド本体２は、その外形が、大小７つの曲線１２〜１４、１６〜１９と３つの直線１５、２１、２２を組み合わせて構成されている。そして、中心線３５を中心として、一方側（右側）の外周は、全て、外側に向かって凸状となる曲線又は直線からなり、他方側（左側）の外周は、その下半部に、曲線１８のように、外側に向かって凹状となる曲線を含む形状となっている。また、長手方向の中央部の幅が最大となり、その中央部から長手方向の一端及び他端にかけて順次幅狭となるように構成されている。このような形状とすることによって、鼻の側面形状に、より近い形状とすることができる。
【００３０】
パッド本体２の表面３は、図５に示すように、長手方向の両縁部を除く全体が所定の曲率の１つの曲面４から構成され、図６に示すように、幅方向の一方の縁部を除く全体が所定の曲率の１つの曲面７から構成されている。また、図５に示すように、長手方向の一方の縁部が他の部分よりも曲率の大きい曲面５から構成され、長手方向の他方の縁部が一方の縁部よりも更に曲率の大きい曲面６から構成され、図６に示すように、幅方向の一方の縁部が他の部分よりも曲率の大きい曲面８から構成されている。
【００３１】
パッド本体２の裏面２５は、図５に示すように、長手方向の両縁部を除く全体が所定の曲率の１つの曲面２６から構成され、図６に示すように、幅方向の一方の縁部を除く全体が所定の曲率の１つの曲面２９から構成されている。また、図５に示すように、長手方向の一方の縁部が他の部分よりも曲率の大きい曲面２７から構成され、長手方向の他方の縁部が一方の縁部よりも更に曲率の大きい曲面２８から構成され、図６に示すように、幅方向の一方の縁部が他の部分よりも曲率の大きい曲面３０から構成されている。
【００３２】
パッド本体２の表面３と裏面２５とは、略平行をなすように、各曲面４〜８、２６〜３０の曲率を設定するのが好ましい。しかしながら、パッド本体２は、中央部の厚みが最大となるように、全体の厚みを設定するのが好ましい。
【００３３】
パッド本体２の側面３１（周面）は、図５及び図６に示すように、全周に亘って所定の曲率の１つの曲面３２によって構成され、この曲面３２によりパッド本体２の表面３と裏面２５との間が滑らかに連結されている。
【００３４】
パッド芯４０は、前記第１の実施の形態に示すものと同様の構成を有しており、図５及び図６に示すように、頭部４１がパッド本体２の中心部に埋設され、脚部４２がパッド本体２の裏面２５から外方に突出している。この場合、パッド芯４０は、脚部４２の先端部がパッド本体２の裏面２５の先端よりも僅かに外方に突出するように、脚部４２の長さが設定されている。
【００３５】
そして、上記のように構成したこの実施の形態によるノーズパッド１のパッド芯４０を、例えばフルリムタイプのメガネフレームのパッド足にねじによって取り付け、メガネフレームのリムの内側の部分にレンズを取り付けることによりメガネを構成する。
【００３６】
そして、テンプルを耳に掛け、ノーズパッド１を鼻の側面に当接させ、メガネを顔の所定の位置に保持することにより、レンズを通しての視界が得られることになる。
【００３７】
上記のように構成したこの実施の形態によるノーズパッド１にあっては、パッド本体２の表面３を異なる曲率の複数の曲面４〜８を組み合わせて構成し、この曲面４〜８の曲率を鼻の表面にほぼ合致する値に設定しているので、パッド本体２の表面３を鼻の側面に接触させた場合に、パッド本体２の表面３の一部にメガネからの荷重が集中するようなことはなく、パッド本体２の表面３の全体に荷重を分散させることができる。
【００３８】
従って、パッド本体２の形状に鼻の表面に跡が付いて痛みが生じるようなことはなく、快適な装着感が長時間に亘って得られることになり、長時間の使用にも十分に耐えられることになる。
【００３９】
また、パッド本体２の周縁部を他の部分よりも曲率の大きい曲面５、６、８によって構成しているので、パッド本体２の周縁部が鼻の表面に引っ掛かるのを防止でき、快適な装着感が得られることになる。
【００４０】
さらに、パッド本体２の外形を、パッド芯４０を通る中心線３５を中心として左右非対称に形成しているので、鼻の側面形状に近い形状とすることが可能であり、快適な装着感が得られる。さらに、見栄えを良くすることもできる。
【図面の簡単な説明】
【００４１】
【図１】本発明によるノーズパッドの第１の実施の形態を示した平面図である。
【図２】図１のＡ−Ａ線断面図である。
【図３】図１のＢ−Ｂ線断面図である。
【図４】本発明によるノーズパッドの第２の実施の形態を示した平面図である。
【図５】図４のＡ−Ａ線断面図である。
【図６】図４のＢ−Ｂ線断面図である。
【符号の説明】
【００４２】
１ ノーズパッド
２ パッド本体
３ 表面
４、５、６、７、８ 曲面
１０、１１、１２、１３、１４、１６、１７、１８、１９ 曲線
１５、２１、２２ 直線
２５ 裏面
２６、２７、２８、２９、３０ 曲面
３１ 側面（周面）
３２ 曲面
３５ 中心線
４０ パッド芯
４１ 頭部
４２ 脚部
４３ ねじ挿通用の孔
【図１】
0004804736.tif 000002
【図２】
0004804736.tif 000003
【図３】
0004804736.tif 000004
【図４】
0004804736.tif 000005
【図５】
0004804736.tif 000006
【図６】
0004804736.tif 000007